(57)【要約】【課題】手軽に持ち運べ、腰痛の発生を未然に防ぎ、腰痛がでにくい腰痛防止具を得る。【解決手段】座部と背部とを有する座席に載置されて用いられる腰痛防止具２であって、この腰痛防止具２を、座部に載置される座側板３と、背部に当てられる背側板４と、これら両板３、４の間を接続し両板３、４を揺動自在に開閉させる蝶番５とを備えて構成するとともに、これら両板３、４を硬質材で構成した。使用時には、座側板３を座席６の座部７に載置し、背側板４を背部に立てかけて当て、座側板３に使用者が座るようになっている。【選択図】図１
2014140476.tif 000002
【特許請求の範囲】
【請求項１】
座部と背部とを有する座席または椅子に載置されて用いられる腰痛防止具であって、座部に載置される座側部とこの座側部と揺動部を介して接続され背部に当てられる背側部とを有し、これら座側部と背側部とを揺動自在に変位させるとともに、これら座側部と背側部とを硬質の板状に形成したことを特徴とする腰痛防止具。
【請求項２】
座側部と背側部とをそれぞれ別体の板で構成し、これら座側板と背側板との間を開閉手段により接続したことを特徴とする請求項１に記載の腰痛防止具。
【請求項３】
座側部と背側部とのうち少なくともいずれか一方を覆い包む袋体を備えたことを特徴とする請求項１または２に記載の腰痛防止具。
【発明の詳細な説明】
【技術分野】
【０００１】
本発明は、座部と背部とを有する座席または椅子に載置されて用いられる腰痛防止具に関する。
【背景技術】
【０００２】
従来、腰痛の治療をする腰痛治療椅子として、上下の位置を調節可能で左右に開閉可能な一対の肘掛けと、この肘掛けにジョイントを介して取り付けられる腰当てと、腰当てを患者の肋骨の下部付近に双方から締め付けて固定する締付装置と、座席の高さを調整する調整筒とを備えたものが知られている（特許文献１参照。）。この腰痛治療椅子は、患者を腰当てで支え、座席を下げて宙に浮かせ、自重により背骨を真っ直ぐに強制することにより治療するようにしている。
【先行技術文献】
【特許文献】
【０００３】
【特許文献１】特開平１１−２２１２５７号公報
【発明の概要】
【発明が解決しようとする課題】
【０００４】
しかしながら、上記従来の腰痛治療椅子では、どこにでも持ち運ぶことができず、例えば、座席に座って車両を長時間運転したり、椅子に腰掛けて長時間作業を行い、腰痛が出た場合など、腰痛治療椅子を設置している施設または場所に行かなければならない。その間は腰痛に耐えなければならないという問題がある。このため、車両を長時間運転したり、椅子に腰掛けて長時間作業を行う場合に、予め腰痛を予防するには、長時間の運転や作業を避け、何度も休息をとったり腰痛予防の運動をしなければならず、作業効率が悪いという問題がある。
【０００５】
本発明は、上記課題を解決するためになされたもので、簡素な構成で、どこにでも持ち運びすることができ、腰痛の発生を未然に防ぎ、長時間椅子に座っての作業を行ったり長時間運転しても腰痛がでにくい腰痛防止具を提供することを目的とする。
【課題を解決するための手段】
【０００６】
本発明の請求項１に係る腰痛防止具は、座部と背部とを有する座席または椅子に載置されて用いられる腰痛防止具であって、座部に載置される座側部とこの座側部と揺動部を介して接続され背部に当てられる背側部とを有し、これら座側部と背側部とを揺動自在に変位させるとともに、これら座側部と背側部とを硬質の板状に形成したことを特徴としている。
【０００７】
本発明の請求項１に係る腰痛防止具では、座部と背部とを有する座席または椅子に載置されて用いられる腰痛防止具であって、座部に載置される座側部とこの座側部と揺動部を介して接続され背部に当てられる背側部とを有し、これら座側部と背側部とを揺動自在に変位させるとともに、これら座側部と背側部とを硬質の板状に形成したので、腰痛防止具を使用する予定の座席または椅子まで持ち運び、この座席または椅子の座部に座側部を載置し、背部に背側部を立てかけて当て、座側部に使用者が座ると、使用者は臀部が硬質の座側部上に載り、背中が硬質の背側部に当たる状態で座ることになる。このため、使用者の臀部は、常時、硬質の座側部に当たり、背中も背部に支持された硬質の背側部に当って沈み込むことがない。従って、生理的に背骨を真っ直ぐにして座るようになり、腰への負担が減じられ、腰痛が出にくくなる。
【０００８】
本発明の請求項２に係る腰痛防止具は、座側部と背側部とをそれぞれ別体の板で構成し、これら座側板と背側板との間を開閉手段により接続したことを特徴としている。
【０００９】
本発明の請求項３に係る腰痛防止具は、座側部と背側部とのうち少なくともいずれか一方を覆い包む袋体を備えたことを特徴としている。
【発明の効果】
【００１０】
本発明に係る腰痛防止具は、座部と背部とを有する座席または椅子に載置されて用いられる腰痛防止具であって、座部に載置される座側部とこの座側部と揺動部を介して接続され背部に当てられる背側部とを有し、これら座側部と背側部とを揺動自在に変位させるとともに、これら座側部と背側部とを硬質の板状に形成したことにより、使用者が使用したい座席または椅子に手軽に持ち運びすることができ、しかも、生理上、自然に背骨を真っ直ぐにして座ることができるので、腰痛の発生を未然に防ぎ、腰痛がでにくくなる効果がある。
【図面の簡単な説明】
【００１１】
【図１】図１は、本発明の第１の実施例に係る腰痛防止具を示す斜視図である。（実施例１）
【図２】図２は、上記第１の実施例に係る腰痛防止具を開いた状態を示す平面図である。
【図３】図３は、図２のIII-III線に沿った断面図で、上記第１の実施例に係る腰痛防止具を折り畳んだ状態を示す断面図である。
【図４】図４の（Ａ）、（Ｂ）はそれぞれ、上記第１の実施例に係る腰痛防止具を用いる車両の座席の斜視図およびその座席の一部破断斜視図である。
【図５】図５は、上記第１の実施例に係る腰痛防止具を車両の座席に載置して使用する状態を示す使用状態説明図である。
【図６】図６は、上記第１の実施例に係る腰痛防止具の板の一変形例を示す要部破断断面図である。
【図７】図７は、本発明の第２の実施例に係る腰痛防止具を示す説明図である。（実施例２）
【図８】図８の（Ａ）、（Ｂ）はそれぞれ、第１第２の各実施例に係る腰痛防止具の変形例を示す説明図である。
【発明を実施するための形態】
【００１２】
手軽に持ち運び可能で、腰痛の発生を未然に防ぎ、腰痛がでにくい腰痛防止具を得るという目的を、座部と背部とを有する座席または椅子に載置されて用いられる腰痛防止具であって、座部に載置される座側板と、背部に当てられる背側板と、これら両板の間を接続し両板を揺動自在に開閉させる蝶番とを備え、これら両板を硬質材で構成したことにより実現した。
【実施例１】
【００１３】
以下、図面に示す実施例により本発明を説明する。図１は、本発明の第１の実施例に係る腰痛防止具を示す斜視図である。本実施例に係る腰痛防止具２は、図１に示すように、座側板（座側部）３と背側板（背側部）４とこれら両板３、４の間を接続し両板３、４を揺動自在に開閉させる蝶番（開閉手段）５とを備えて構成される。蝶番５は両板３、４を揺動させる揺動部としての機能を果たすようになっている。座側板３と背側板４はそれぞれ、矩形に形成された硬質の木製板材から構成される。座側板３の長手方向外側両端部３Ａ、３Ｂおよび背側板の長手方向外側両端部４Ａ、４Ｂはそれぞれ弧状に形成される。座側板３は、座席（または椅子）６（図４の（Ａ）、（Ｂ）参照）の座部７に載置され、背側板４は座席（または椅子）６の背部８に当てられるようになっている。
【００１４】
座側板３の寸法は、左右の幅寸法Ｗ１が３０cm、奥行きの長さ寸法Ｌ１が４０〜４５cm、背側板４の左右の幅寸法Ｗ２が３０cm、上下の高さ寸法Ｌ２が４５〜５０cmであることが好ましい。各板の厚さは、３〜１０mmが好ましい。これら寸法は、国内で販売される車両の座席の寸法に応じて適宜変更してもよいことはいうまでもない。すなわち、一般に、車両の座席６は、図４の（Ａ）、（Ｂ）に示すように、座部７には使用者の臀部が、また、背部８には使用者の背中が、それぞれ収まりずれにくくするため凹陥部７Ａ、８Ａが形成されている。これら凹陥部７Ａ、８Ａは一般に幅がほぼ３０cm前後となっているため、これら凹陥部７Ａ、８Ａに座側板３と背側板４とがそれぞれ嵌り込むと動きにくくするようになっている。
【００１５】
次に、本実施例に係る腰痛防止具２の作用について説明する。本実施例に係る腰痛防止具２は、使用しない場合、座側板３と背側板４とを折り畳んで収納場所に収納される（図３参照）。使用する際は、使用する車両の座席（または作業を行う椅子）６まで持ち運ばれる。腰痛防止具２は実質的に座側板３と背側板４との２枚の板から構成されるので、簡便に持ち運ぶことができる。使用時には、座席６の座部７に座側板３を載置し、背部８に背側板４を立てかけて当て、座席６上にこの腰痛防止具２を開いた状態で載せ置き、使用者が座側板３に座るようになっている（図５参照）。座席６は背部８が傾斜自在なリクライニングシートの場合であっても、背側板４はリクライニングシートの傾斜に応じて背部８に当てることができるようになっている。本実施例に係る腰痛防止具２は、このようにして用いられるので、使用者は臀部が硬質の座側板３上に載り、背中が硬質の背側板４に当たる状態で座ることになる。このため、使用者の臀部は、常時、硬質の座側板３に当たり、背中も背部８に支持された硬質の背側板４に当って沈み込むことがない。従って、生理的に背骨を真っ直ぐにして座るようになり、腰への負担が減じられ、腰痛が出にくくなる。このため、腰痛の発生を未然に防ぐ効果がある。
【００１６】
なお、上記第１の実施例では、座側板３と背側板４とをそれぞれ、木材の板で構成しているがこれに限られるものではなく、硬質の材料であればよく、合成樹脂（例えば、アクリルなど）の板や金属製の板から構成してもよい。また、これら板を、図６に示すように、薄片の合成樹脂または板を複数枚接着剤で接着して積層し剛性を向上させるようにしてもよい。さらに、上記実施例では、座側板３と背側板４との間を接続し両板３、４を揺動自在に開閉させる蝶番を開閉手段として構成しているがこれに限られるものではなく、布やゴムのような柔軟材や、背側板４を座側板３に対して自在に変位させる金属製薄片からなる可撓材や合成樹脂製薄片からなる可撓材を用い、これら柔軟材や可撓材を帯状に形成し、帯状の柔軟材や可撓材の両端を各板３、４に接続するようにしてもよい。
【実施例２】
【００１７】
図７は、本発明の第２の実施例に係る腰痛防止具を示すもので、上記第１の実施例に係る腰痛防止具２が座側板３と背側板４とを別体の板から構成しているのに対し、一体の合成樹脂製の一枚板から構成した点が異なっている。本実施例に係る腰痛防止具１２は、座席６の座部７に載置される座側部１３とこの座側部１３と薄肉部（揺動部）１５を介して接続され背部８に当てられる背側部１４とを有し、これら座側部１３と背側部１４とを揺動自在に変位させるとともに、これら座側部１３と背側部１４とを硬質の板状に形成して構成される。薄肉部１５は、座側部１３と背側部１４とを分けるほぼ中央の裏面を薄肉に形成して構成され、この薄肉部１５を中心に折り曲げ自在に構成される。この薄肉部１５には、繰り返しの折り曲げ動作に耐えるよう補強材を貼着してもよい。本実施例に係る腰痛防止具１２では、一枚の合成樹脂製板体から構成しているため、一体成型が可能となり、コストダウンを図ることができる。使用時には、上記第１の実施例と同様に、座席６の座部７に座側部１３を載置し、背部８に背側部１４を立てかけて当て、座席６上にこの腰痛防止具１２を開いた状態で載せ置き、使用者が座側部１３に座るようになっている。収納時には、収納場所に合わせて開いたままの状態か、または折り畳んだ状態で収納することができる。
【００１８】
なお、上記各実施例では、腰痛防止具を車両の座席６に載置して使用する例を示しているがこれに限られるものではなく、座部と背部とを有する事務用の椅子や作業用の椅子に用いてもよいことはいうまでもない。また、上記各実施例では、座側板３や背側板４、座側部１３や背側部１４を板状に形成しているが、図８の（Ａ）、（Ｂ）に示すように、座側板３（座側部１３）と背側板４（背側部１４）に貫通孔１６を形成したり、細溝１７を形成して空気を通すようにし、汗によるべたつきを避けるようにしてもよい。さらに、座側板３（座側部１３）と背側板４（背側部１４）との表面側に、汗によるべたつきを防ぐため、硬質の通気材を取り付けるようにしてもよいし、座側板３（座側部１３）と背側板４（背側部１４）とを硬質で多孔性を有する通気構造物により構成してもよい。また、座側板３（座側部１３）上面には、薄い蒲団やクッションを着脱自在に設けるようにし、長時間座り続けることができるようにしてもよい。その場合でも、臀部が座側板３（座側部１３）に当たる感覚が得られる程度の厚さか柔軟性を有するものが好ましい。さらに、座側板３（座側部１３）の裏面には、座席または椅子の座部に対して滑りにくい摩擦材を貼着するようにしてもよい。また、座側板３（座側部１３）と背側板４（背側部１４）の全体を布製の袋体で覆って包み込むようにしてもよい。このような構成とすることにより、滑りにくくなるとともに、袋体の外観により意匠上の多様性が得られる。袋体は、座側板３（座側部１３）と背側板４（背側部１４）の全体を包み込むことに限られるものではなく、座側板３（座側部１３）と背側板４（背側部１４）のうちいずれか一方を包み込むように構成してもよい。
【符号の説明】
【００１９】
２  腰痛防止具
３  座側板（座側部）
４  背側板（背側部）
５  蝶番（揺動部、開閉手段）
６  座席
７  座部
８  背部
【図１】
2014140476.tif 000003
【図２】
2014140476.tif 000004
【図３】
2014140476.tif 000005
【図４】
2014140476.tif 000006
【図５】
2014140476.tif 000007
【図６】
2014140476.tif 000008
【図７】
2014140476.tif 000009
【図８】
2014140476.tif 000010